(57)【要約】      （修正有）【課題】簡単かつ正確に用紙の位置決めを行う。【解決手段】画像形成部よりも前で、位置決めプレート６２を移動し、基準線６６をミシン目Ｐｓに合わせ、セットボタン９０を操作する。セットボタン９０の操作があったと判断されると、格納されている用紙種情報を取得し、エンコーダ８２から出力されるパルス信号を読み取り、画像形成位置演算部１２６では、これらから、位置決めプレート６２の位置を特定し、帳票用紙Ｐのミシン目Ｐｓの位置か画像形成位置までの搬送長を演算する。画像形成位置演算部での演算結果は、画像形成位置情報一時格納部１３０に一時的に格納する。画像形成部よりも後で目標位置インジケータ９８により位置が正しいことを確認すると確認ボタン１０２を操作し、画像形成制御部１３８で適用可能に、演算結果を本格納する。【選択図】図２
2014184989.tif 000002
【特許請求の範囲】
【請求項１】
一単位として分類される単位用紙が、複数単位連結された帯状の記録用紙を、予め定めた搬送制御単位に基づいて、処理部へ搬送する搬送経路上に設けられ、各単位用紙毎に定めた目印に対して位置決めするために搬送方向に移動可能な指標部材と、
前記指標部材を前記目印に対して位置決めしたときの、当該指標部材の予め定めた基準位置からの変位量を検出する検出手段と、
前記検出手段で検出した変位量と前記搬送制御単位とに基づいて、前記処理部での処理時期を補正する補正手段と、
を有する位置決め装置。
【請求項２】
前記指標部材の移動可能範囲が、前記目印の間隔寸法よりも広く設定される請求項１記載の位置決め装置。
【請求項３】
前記搬送経路上において、前記処理部よりも下流側に設けられ、前記検出手段で検出した変位量に基づいて確定する各単位用紙の目印が停止する位置を予測する予測手段と、
前記予測手段で予測した位置を表示する表示手段と、をさらに有する請求項１又は請求項２記載の位置決め装置。
【請求項４】
前記表示手段が、前記記録用紙の搬送方向に沿って予め定めた間隔で複数の発光部を備え、前記予測手段で予測した位置に最も近似する発光部を発光させる請求項３記載の位置決め装置。
【請求項５】
前記予測手段で予測した位置と、前記単位用紙の目印とが一致しない場合に、前記発光する発光部を変更することで位置決めを調整する調整手段をさらに有し、前記調整手段によって調整された情報に基づき、前記搬送装置による搬送制御が調整される請求項３又は請求項４記載の位置決め装置。
【請求項６】
前記記録用紙には切り取りの目安となるミシン目が形成され、当該ミシン目の間隔寸法が前記単位用紙の一単位の搬送長とされると共に、前記ミシン目が前記目印として適用される請求項１〜請求項５の何れか１項記載の位置決め装置。
【請求項７】
請求項１〜請求項６の何れか１項記載の位置決め装置を備え、前記処理部が、少なくとも画像情報を読み取る画像読取装置、或いは画像情報に基づいて記録用紙に画像を形成する画像形成装置の何れか一方を具備する画像処理装置。
【発明の詳細な説明】
【技術分野】
【０００１】
本発明は、位置決め装置、画像処理装置に関する。
【背景技術】
【０００２】
特許文献１には、印刷開始位置からの印刷を可能とするため、用紙のマーキングを検出して、所定位置まで搬送する用紙頭出し機構が記載されている。印字位置へ紙送り量を制御する手段が開示されている。
【０００３】
特許文献２には、印字用紙を指標にセットし、その位置から先端検出するまでの時間で印字ヘッドまで送る制御と、切断カッタまで送る制御をするプリンタの位置用紙送り制御装置が開示されている。
【先行技術文献】
【特許文献】
【０００４】
【特許文献１】特開昭６１−２０５１６０号公報
【特許文献２】特開昭６４−０５３８８５号公報
【発明の概要】
【発明が解決しようとする課題】
【０００５】
本発明は、本構成を有しない場合に比べて、簡単かつ正確に用紙の位置決めを行うことができる位置決め装置、画像処理装置を得ることが目的である。
【課題を解決するための手段】
【０００６】
請求項１に記載の発明は、一単位として分類される単位用紙が、複数単位連結された帯状の記録用紙を、予め定めた搬送制御単位に基づいて、処理部へ搬送する搬送経路上に設けられ、各単位用紙毎に定めた目印に対して位置決めするために搬送方向に移動可能な指標部材と、前記指標部材を前記目印に対して位置決めしたときの、当該指標部材の予め定めた基準位置からの変位量を検出する検出手段と、前記検出手段で検出した変位量と前記搬送制御単位とに基づいて、前記処理部での処理時期を補正する補正手段と、を有している。
【０００７】
請求項２に記載の発明は、前記請求項１に記載の発明において、前記指標部材の移動可能範囲が、前記目印の間隔寸法よりも広く設定される。
【０００８】
請求項３に記載の発明は、前記請求項１又は請求項２に記載の発明において、前記搬送経路上において、前記処理部よりも下流側に設けられ、前記検出手段で検出した変位量に基づいて確定する各単位用紙の目印が停止する位置を予測する予測手段と、前記予測手段で予測した位置を表示する表示手段と、をさらに有する。
【０００９】
請求項４に記載の発明は、前記請求項３に記載の発明において、前記表示手段が、前記記録用紙の搬送方向に沿って予め定めた間隔で複数の発光部を備え、前記予測手段で予測した位置に最も近似する発光部を発光させる。
【００１０】
請求項５に記載の発明は、前記請求項３又は請求項４に記載の発明において、前記予測手段で予測した位置と、前記単位用紙の目印とが一致しない場合に、前記発光する発光部を変更することで位置決めを調整する調整手段をさらに有し、前記調整手段によって調整された情報に基づき、前記搬送装置による搬送制御が調整される。
【００１１】
請求項６に記載の発明は、前記請求項１〜請求項５の何れか１項記載の発明において、前記記録用紙には切り取りの目安となるミシン目が形成され、当該ミシン目の間隔寸法が前記単位用紙の一単位の搬送長とされると共に、前記ミシン目が前記目印として適用される。
【００１２】
請求項７に記載の発明は、請求項１〜請求項６の何れか１項記載の位置決め装置を備え、前記処理部が、少なくとも画像情報を読み取る画像読取装置、或いは画像情報に基づいて記録用紙に画像を形成する画像形成装置の何れか一方を具備する画像処理装置である。
【発明の効果】
【００１３】
請求項１記載の発明によれば、本構成を有しない場合に比べて、簡単かつ正確に用紙の位置決めを行うことができる。
【００１４】
請求項２に記載の発明によれば、少なくとも１つの目印を、指標部の移動可能範囲に存在させることができる。
【００１５】
請求項３に記載の発明によれば、処理部前で位置決めした結果が、処理部後まで反映されているか否かを判断することができる。
【００１６】
請求項４に記載の発明によれば、本構成を有しない場合に比べて、位置ずれを簡単に判別することができる。
【００１７】
請求項５に記載の発明によれば、本構成を有しない場合に比べて、位置ずれを容易に調整することができる。
【００１８】
請求項６に記載の発明によれば、ミシン目を有効に利用することができる。
【００１９】
請求項７に記載の発明によれば、本構成を有しない場合に比べて、簡単かつ正確に用紙の位置決めを行うことができる。
【図面の簡単な説明】
【００２０】
【図１】本実施の形態に係る画像形成装置の概略構成図である。
【図２】本実施の形態に係る画像形成装置の搬送経路上に配置された位置決め装置及び位置確認装置を示す斜視図である。
【図３】本実施の形態に係る位置決め装置の側面図である。
【図４】本実施の形態に係る位置確認装置の目標インジケータの平面図である。
【図５】本実施の形態に係る搬送制御部における位置決め及び位置確認制御の流れを示す機能ブロック図である。
【図６】本実施の形態に係る搬送制御部における位置決め及び位置確認制御の流れを示すフローチャートである。
【発明を実施するための形態】
【００２１】
（画像形成装置１０の概略構成）
図１に示される如く、本実施の形態に係る画像処理装置としての画像形成装置１０は、帳票用紙Ｐを収容する収容部２８を備えている。図１に示される如く、本実施の形態に適用される帳票用紙Ｐは、帯状に形成された連続用紙であり、画像が形成された後に、ミシン目Ｐｓ（図２参照）に沿って、予め定められた大きさ（後述する、一単位の紙片）に切断されるようになっている。
【００２２】
図１に示される如く、帳票用紙Ｐは、収容部２８に折り畳まれて収容され、この収容された帳票用紙Ｐは、図１の実線で示される如く、画像形成装置１０内に形成された搬送機構部３４によって、予め定めた搬送路に沿って搬送されるようになっている。なお、収容部２８は、上記折り畳んで収容する構成に限らず、帳票用紙Ｐをロール状に巻き取って収容する構成であってもよい。
【００２３】
搬送機構部３４は、帳票用紙Ｐの表裏面に対峙するように設けられた複数の案内板５０、並びに、帳票用紙Ｐを挟んで回転駆動することで帳票用紙Ｐへ搬送力を付与する複数の搬送ローラ対３４Ｒを備えている。搬送ローラ対３４Ｒは、メイン制御部５２に接続された駆動ドライバ５４からの指示で回転又は停止されるようになっている。
【００２４】
なお、搬送機構部３４としては、上記のようにローラ対で挟んで搬送する搬送機構部に限らず、例えば、帳票用紙Ｐの幅方向両端部（側縁部）に長手方向へ沿って形成された複数の送り孔に、ピンを係合させて搬送するトラクタ型搬送機構部であってもよく、帳票用紙Ｐを、予め定めたテンションで搬送可能な搬送機構部であればよい。
【００２５】
帳票用紙Ｐが搬送される前記搬送路は、搬送方向上流側から搬送方向下流側にかけて順番に、帳票用紙Ｐにトナー画像を形成する画像形成部１２と、発光部の一例としてのフラッシュランプ３８を備えた定着装置３０とが設けられている。
【００２６】
画像形成部１２は、一方向（図１において時計回り方向）へ回転する感光体ドラム１３を有している。
【００２７】
感光体ドラム１３の周囲には、感光体ドラム１３の回転方向上流側から順に、感光体ドラム１３の表面を帯電させる帯電装置１４と、帯電した感光体ドラム１３を露光して感光体ドラム１３の表面に静電潜像を形成する露光装置１６と、感光体ドラム１３の表面に形成された静電潜像を現像してトナー画像を形成する現像装置１８と、感光体ドラム１３に残留した残留トナーをクリーニングするクリーナブレード２２と、感光体ドラム１３の表面を除電する除電装置２０と、感光体ドラム１３に残留した残留トナーをクリーニングするクリーナブラシ２４とが設けられている。
【００２８】
また、感光体ドラム１３に対向する位置には、帳票用紙搬送路を挟んで、感光体ドラム１３に形成されたトナー画像を帳票用紙Ｐへ転写する転写装置２６が設けられている。
【００２９】
定着装置３０は、フラッシュランプ３８が閃光を発して、帳票用紙Ｐに転写されたトナー画像に閃光を照射することにより、光エネルギーを熱エネルギーに変換させ、その熱によりトナーを融解し、帳票用紙Ｐへ定着させる。
【００３０】
定着装置３０により、トナー画像が定着された帳票用紙Ｐは、更に、下流側へ搬送され、帳票用紙Ｐを収容する収容部３７に折り畳まれて収容される。なお、収容部３７は、上記折り畳んで収容する構成に限らず、帳票用紙Ｐをロール状に巻き取って収容する構成であってもよい。
【００３１】
（帳票用紙Ｐの帳票用紙搬送路上での位置決め）
図１及び図２に示される如く、帳票用紙Ｐには、当該帳票用紙Ｐの一単位の区切りを示すと共に、一単位毎に紙片を切り離すための案内となるミシン目Ｐｓ（キリトリ線）が形成されている。以下、本実施の形態では、この案内となるミシン目Ｐｓを帳票用紙Ｐの一単位の紙片の指針として適用する。なお、例えば、帳票用紙Ｐの一単位の紙片毎に、別途、指針マークを予めプリントしたり、穿孔したりして、当該指針マークを指針としてもよい。
【００３２】
帳票用紙Ｐは、搬送機構部３４の自動搬送制御によって、収容部２８から画像形成部１２へ送り込まれる。帳票用紙Ｐが画像形成部１２へ至ると、当該帳票用紙Ｐは、予め定めた当該画像形成部１２の画像形成位置（「印字位置」ともいう）に位置決めされて画像形成待機状態となる。
【００３３】
画像形成位置への位置決めは、ユーザーが、画像形成装置１０のメイン制御部５２に接続されたＵＩ５８から帳票用紙Ｐの種類を入力操作することで定まるものである。すなわち、帳票用紙Ｐの種類によって、一単位の紙片毎の搬送方向長が確定し、当該搬送方向長を基準とした搬送制御によって、各単位の紙片に対して画像形成開始位置（所謂頭出し）の特定が可能となる。
【００３４】
従って、画像形成処理の前に、ＵＩ５８から帳票用紙Ｐの種類を操作入力することによって、当該帳票用紙Ｐの搬送方向の初期位置が決められ、その後（画像形成開始後）は、一単位の搬送長を繰り返しながら、画像形成が実行されることになる。
【００３５】
なお、画像形成位置のデフォルトとしては、汎用される帳票用紙Ｐの種類が登録されている場合があり、帳票用紙Ｐの種類の操作入力は必須ではない。
【００３６】
搬送機構部３４における画像形成部１２よりも用紙搬送方向上流側には、帳票用紙Ｐの搬送方向位置を決めるための位置調整装置６０が設けられている。本実施の形態では、この位置調整装置６０によって、帳票用紙Ｐの搬送方向の初期位置の位置決めを行っている。
【００３７】
図２に示される如く、位置調整装置６０は、位置決めプレート６２を備えている。位置決めプレート６２は、帳票用紙Ｐの搬送軌跡よりも図１の下側に配置されている。このため、帳票用紙Ｐは、搬送機構部３４で搬送されるとき、位置調整装置６０の位置決めプレート６２の上面（表面）に触れながら、あるいは隙間をあけて通過することになる。
【００３８】
位置決めプレート６２は、帳票用紙Ｐの幅方向に沿って縦長の矩形プレート形状であり、その上面（表面）には、当該帳票用紙Ｐの幅方向に沿って直線状に形成された指標部６４が形成されている。この指標部６４が帳票用紙Ｐのした面（裏面）と対峙することになる。
【００３９】
より具体的には、指標部６４は、用紙搬送方向の中心となる基準線６６と、当該基準線６６に対して用紙搬送方向の上流側及び下流側へずれた位置に設けられ位置決め許容限界を示す一対の補助線６８とを備えている。なお、基準線６６、一対の補助線６８は互いに平行である。また、基準線６６の両端部には、基準線６６であることを示す三角形の特定マーク７０が設けられている。当該特定マーク７０の三角形の頂点の一つが、前記基準線６６の位置を特定している。
【００４０】
なお、指標部６４の表示形態は、位置決めプレート６２に対して、凹凸状の削り出しで形成してもよいし、画像形成やシール貼り付けであってもよい。また、基準線６６及び補助線６８は、用紙幅方向に連続する必要はない。さらに、特定マーク７０は、角部（鋭角が好ましい）があれば、三角形に限定されるものではない。
【００４１】
ここで、前記位置決めプレート６２は、帳票用紙Ｐの幅方向両端部からさらに外側に配置された一対のベルト７２に掛け渡されて支持されている。
【００４２】
また、位置調整装置６０は、帳票用紙Ｐの幅方向に沿って設けられた一対の車輪７４を備えている。車輪７４は、車軸７６の両端に一対の滑車７８が取り付けられ、前記一対のベルト７２は、それぞれ、帳票用紙Ｐの幅方向の両端部で、各車輪７４の滑車７８に巻き掛けられている。このため、前記位置決めプレート６２は、一対のベルト７２に案内され、帳票用紙Ｐの搬送方向に移動可能となる。
【００４３】
図３に示される如く、この位置決めプレート６２の移動可能範囲Ｌ１は、帳票用紙Ｐの種類に応じて定まるミシン目Ｐｓの位置における最大離間距離Ｌ２＋α（αは、前後余剰分α１＋α２＝α）とされている。
【００４４】
ここで、帳票用紙Ｐの幅方向の一方（図２では、奥側）には、位置決めプレート６２の移動軌跡上にストッパ板８０が配置されている。このため、位置決めプレート６２は、当該ストッパ板８０でそれ以上の前方方向の移動が阻止され、この位置を位置決めプレート６２の基準位置（初期位置）としている。基準位置は、前記位置決めプレート６２の移動可能範囲Ｌ１内において、帳票用紙Ｐの種類の内、最も搬送方向下流側となるミシン目Ｐｓの最前方位置よりも搬送方向下流側に定めることが好ましい。
【００４５】
また、帳票用紙Ｐの幅方向の他方（図２では、手前側）には、ベルト７２の移動量を監視するエンコーダ８２が設けられている。
【００４６】
エンコーダ８２は、その回転軸８２Ａが、搬送方向下流側の滑車７８に同軸上に取り付けられた補助滑車８４に対してベルト８６で連結されている。
【００４７】
このため、一対のベルト７２の移動量に比例して、エンコーダ８２の回転軸８２Ａが回転するようになっている。すなわち、エンコーダ８２の回転軸の１回転が、位置決めプレート６２の一定の移動量となる。
【００４８】
ここで、前記ストッパ板８０に位置決めプレート６２が当たっている状態を、エンコーダ８２の０点位置とすることで、位置決めプレート６２におけるストッパ板８０からの離間距離をエンコーダ８２から出力されるパルス信号に基づいて演算することが可能となる。
【００４９】
すなわち、本実施の形態では、例えば、帳票用紙Ｐの装填時に自動搬送され、予め定めた位置で停止させる。この停止位置をエンコーダ８２の０点基準としている。
【００５０】
前記帳票用紙Ｐの自動搬送後の停止の際、少なくとも位置決めプレート６２の移動可能範囲Ｌ１（図３参照）内にミシン目Ｐｓが存在する。その後、位置決めプレート６２を例えば手動で動かして、位置決めプレート６２に設けられた基準位置とミシン目Ｐｓとを一致させる。この移動量に相当するパルス信号が、エンコーダ８２から出力されるようになっている。
【００５１】
エンコーダ８２は、メイン制御部５２の一部である搬送制御部８８に接続されており、前記パルス信号の基準位置（０点位置）からの加減算が実行される。なお、移動方向によってパルス数は加減算される。搬送制御部８８については、後述する。
【００５２】
また、図１及び図２に示される如く、位置調整装置６０には、セットボタン９０が設けられている。本実施の形態では、セットボタン９０は機械的な押しボタン型で押圧操作によって内部スイッチの接点が切り替わるようになっている。セットボタン９０の内部スイッチからの配線は、メイン制御部５２に接続され、当該メイン制御部５２の一部である搬送制御部８８でセットボタン９０の操作状態を監視する。
【００５３】
なお、セットボタン９０は、位置調整装置６０の近傍に配置し、位置決めプレート６２の位置決めが完了した時点で押圧操作するようにしたが、位置決め完了指示は、ＵＩ５８からの操作としてもよい。
【００５４】
（帳票用紙Ｐの帳票用紙搬送路上での位置確認）
図１及び図２に示される如く、搬送機構部３４における画像形成部１２よりも用紙搬送方向下流側には、帳票用紙Ｐの搬送方向位置を確認するための位置確認装置９２が設けられている。
【００５５】
位置確認装置９２は、帳票用紙Ｐの幅方向の一方（図２では、奥側）にガイド壁９４が設けられた台座９６を備えている。なお、ガイド壁９４は必須ではない。
【００５６】
台座９６は、その上面（表面）が、画像形成部１２から搬送される帳票用紙Ｐを支持する支持面となっており、帳票用紙Ｐは、この台座９６の支持面に触れながら、或いは隙間を開けて通過することになる。
【００５７】
帳票用紙Ｐが、台座９６を通過するとき、帳票用紙Ｐの幅方向一端部（図２の奥側端部）は、ガイド壁９４に接触しており、当該ガイド壁９４に案内されて搬送される。
【００５８】
このため、帳票用紙Ｐの幅方向他端部（図２の手前側端部）は、予め定められた位置を通過するようになっている。この帳票用紙Ｐの幅方向他端部に対峙するように、台座９６の上面（表面）には、目標位置インジケータ９８が設けられている。
【００５９】
図４に示される如く、目標位置インジケータ９８は、帳票用紙Ｐの幅方向に沿って複数の発光素子が直線に配列されて１つの目標位置発光群９８Ｄを形成している。
【００６０】
この目標位置発光群９８Ｄは、帳票用紙Ｐの搬送方向に沿って複数群配列されている。
【００６１】
複数群の目標位置発光群９８Ｄは、搬送制御部８８によって制御され、選択的に発光されるようになっている。
【００６２】
目標インジケータ９８の内、発光制御される目標位置発光群９８Ｄは、帳票用紙Ｐの種類（一単位の搬送長）、搬送制御部８８によって受け付けたエンコーダ８２からのパルス信号に基づいて演算結果によって特定されるようになっている。
【００６３】
すなわち、帳票用紙Ｐの種類と位置調整装置６０によって位置決めプレート６２の位置が決まると、搬送機構部３４の搬送長が固定であるため、必然的に、位置確認装置９２の台座９６上での帳票用紙Ｐのミシン目Ｐｓの位置も特定され、特定された目標位置発光群９８Ｄが発光することで、画像形成部１２から搬送される帳票用紙Ｐのミシン目Ｐｓの位置との相対位置の確認が可能となる。
【００６４】
位置確認装置９２には、確認ボタン１００が設けられている。本実施の形態では、確認ボタン１００は機械的な押しボタン型で押圧操作によって内部スイッチの接点が切り替わるようになっている。確認ボタン１００の内部スイッチからの配線は、メイン制御部５２に接続され、当該メイン制御部５２の一部である搬送制御部８８で確認ボタン１００の操作状態を監視する。
【００６５】
なお、確認ボタン１００は、位置確認装置９２の近傍に配置し、目標インジケータ９８の内、発光している目標位置発光群９８Ｄとミシン目Ｐｓとの位置が一致したことを目視で確認した時点で押圧操作するようにしたが、確認指示は、ＵＩ５８からの操作としてもよい。ここで、発光している目標位置発光群９８Ｄとミシン目Ｐｓとの位置が一致しない要因は、搬送系の機差、搬送中の帳票用紙Ｐの滑り、テンションの変化等が考えられる。
【００６６】
また、位置確認装置９２には、発光している目標位置発光群９８Ｄとミシン目Ｐｓとの位置が一致しないときに適用される調整キー１００と調整量表示部１０４とが設けられている。調整キー１００では、発光している目標位置発光群９８Ｄとミシン目Ｐｓとの相対位置かずれていた場合に、その増減量に応じてキー操作を行う。調整量表示部１０４は、当該調整量が表示される。
【００６７】
例えば、目標インジケータ９８において、前記複数の目標位置発光群９８Ｄのピッチ寸法を単位調整量とし、調整量表示部１０４に、単位調整量を１ポイントするプラス又はマイナス（±）のポイント数を表示する。
【００６８】
図５は、主として搬送制御部８８での位置調整装置６０及び位置確認装置９２（図１及び図２参照）における動作制御を機能別に分類したブロック図である。なお、各ブロック図は、搬送制御部８８のハード構成を限定するものではない。また、目的を達成するために、図５に記載する機能ブロックは、全て必須とは限らない。
【００６９】
搬送制御部８８は、調整指示受付部１１０を備え、ＵＩ５８から調整指示を受け付けると、セットボタン操作信号受付部１１２、確認ボタン操作信号受付部１１４、調整キー操作信号受付部１１６、調整量情報出力部１１８、目標位置情報出力部１２０を有効とする。
【００７０】
セットボタン操作信号受付部１１２には、セットボタン９０が接続されている。確認ボタン操作信号受付部１１４には、確認ボタン１０２が接続されている。調整キー操作信号受付部１１６には、調整キー１００が接続されている。調整量情報出力部１１８には、調整量表示部１０４が接続されている。目標位置情報出力部１２０には目標位置インジケータ９８が接続されている。
【００７１】
また、前記ＵＩ５８は、用紙種情報受付部１２２が接続されている。用紙種情報受付部１２２では、例えば、ＵＩ５８から、現在、画像形成装置１２で適用されている帳票用紙Ｐの用紙種を受け付ける。受け付けた帳票用紙Ｐの用紙種の情報は、用紙種情報格納部１２４に格納されるようになっている。
【００７２】
前記セットボタン操作信号受付部１１２は、セットボタン９０の操作があったと判断されると、用紙種情報格納部１２４に対して、格納されている用紙種情報を画像形成位置演算部１２６へ出力するように指示する。
【００７３】
画像形成位置演算部１２６は、エンコーダ情報読取部１２８に接続されている。エンコーダ情報読取部１２８は、エンコーダ８２から出力されるパルス信号を読み取り、画像形成位置演算部１２６に送出する。
【００７４】
画像形成位置演算部１２６では、エンコーダ８２からのパルス信号の加減算情報に基づいて、位置決めプレート６２の位置を特定し、帳票用紙Ｐのミシン目Ｐｓの位置か画像形成位置までの搬送長を演算する。画像形成位置演算部１２６での演算結果は、画像形成位置情報一時格納部１３０へ送出される。画像形成位置一時格納部１３０では、演算結果を一時的に格納する。
【００７５】
また、画像形成位置演算部１２６での演算結果は、画像形成位置調整部１３２へ送出されるようになっている。
【００７６】
画像形成位置調整部１３２は、前記確認ボタン操作信号受付部１１４、前記調整キー操作信号受付部１１６、前記調整量情報出力部１１８、前記目標位置情報出力部１２０に接続されている。
【００７７】
画像形成位置調整部１３２では、以下の処理を実行する。
【００７８】
（処理１）  画像形成位置が確定することで、位置確認装置９２の台座９６上でのミシン目Ｐｓの位置を特定し、該当する目標位置インジケータ９８の目標位置発光群９８Ｄを発光させる。
【００７９】
（処理２）  調整キー１００による調整量に基づいて、調整量として、調整量表示部１０４に、±ポイント数を表示する。
【００８０】
（処理３）  調整キーによる調整量に基づいて、画像形成位置演算部１２６での演算を再度実行させる。再演算結果は、画像形成位置一時格納部１３０に更新格納される。
【００８１】
（処理４）  確認ボタン１０２の操作によって、画像形成位置調整部１３２に接続された画像形成位置確定部１３４を起動させる。
【００８２】
前記処理４における画像形成位置確定部１３４の起動に基づき、画像形成位置確定部１３４では、前記画像形成位置情報一時格納部１３０に一時格納されていた画像形成位置情報を読み出し、画像形成位置情報格納部１３６へ格納する。
【００８３】
画像形成位置情報格納部１３６は、メイン制御部５２の主たる制御系である画像形成制御部１３８に接続されており、画像形成制御部１３８では、画像形成制御の際に、当該画像形成位置情報格納部１３６に格納された画像形成位置情報に基づいて画像形成制御が実行される。
【００８４】
以下に、図６のフローチャートに従い、帳票用紙Ｐの位置決め制御並びに位置確認制御の流れを説明する。
【００８５】
ステップ１５０は、ＵＩ５８から調整指示があったか否かが判断され、否定判定された場合はこのルーチンは終了する。
【００８６】
また、ステップ１５０で肯定判定されると、ステップ１５２へ移行して、位置調整装置６０、位置確認装置９２の入出力デバイスを有効にする。入出力デバイスは、セットボタン９０、確認ボタン１０２、調整キー１００、調整量表示部１０４、目標位置インジケータ９８を含む。
【００８７】
この後、帳票用紙Ｐを収容部２８から送り出し、画像形成部１２を経て、収容部３７へ自動搬送し、帳票用紙Ｐの装填処理を実行する。この前記帳票用紙Ｐの自動搬送後の停止の際、少なくとも位置決めプレート６２の移動可能範囲Ｌ１（図３参照）内にミシン目Ｐｓが存在することになる。ユーザーは、帳票用紙Ｐの位置決めの作業として、位置決めプレート６２を手動で動かして、位置決めプレート６２に設けられた基準位置とミシン目Ｐｓとを一致させる。この移動量に相当するパルス信号が、エンコーダ８２から出力される。
【００８８】
次のステップ１５４では、エンコーダ情報を更新する。すなわち、位置決めプレート６２の移動に伴って出力するパルス信号に基づいてパルス数を加減算する。従って、最新の位置決めプレート６２の位置に対応するパルス数となる。
【００８９】
次のステップ１５６では、セットボタン９０の操作があったか否かが判断される。このステップ１５６で否定判定されると、ステップ１５８へ移行して、最初からやり直すか否かが判断される。このやり直すか否かの判断は、例えば、ＵＩ５８からリセット操作があったか否かにおきかえることが可能である。
【００９０】
このステップ１５８で否定判定された場合は、ステップ１５４へ戻り、セットボタン９０の操作の待機状態としてステップ１５４、１５６、１５８を繰り返す。また、ステップ１５８で肯定判定された場合は、ステップ１５０へ戻り、上記工程を繰り返す。
【００９１】
ここで、ステップ１５６で肯定判定、すなわち、セットボタン９０が操作されると、位置決めが完了したと判断し、ステップ１６０へ移行する。
【００９２】
ステップ１６０では、エンコーダ８２からエンコーダ情報を読み取る。すなわち、位置決めプレート６２の基準位置からのパルス信号カウント数を読み取る。
【００９３】
次いで、ステップ１６２では、予め登録されていた用紙種情報を読み出し、ステップ１６４へ移行して、パルス信号カウント数及び用紙種情報に基づいて、画像形成位置情報（画像形成タイミング）を演算し、ステップ１６６へ移行する。
【００９４】
ステップ１６６では、演算した結果（画像形成位置情報）を一時的に格納し、ステップ１６８へ移行して、当該演算した結果（画像形成位置情報）に基づいて、目標位置インジケータ９８の複数の目標位置発光群９８Ｄの内、発光するべき目標位置発光群９８Ｄを特定し、発光（表示）する。
【００９５】
この発光した目標位置発光群９８Ｄに指標される位置と、帳票用紙Ｐのミシン目Ｐsとが一致すれば、位置決めがされていることになる。一方、発光した目標位置発光群９８Ｄに指標される位置と、帳票用紙Ｐのミシン目Ｐsとが一致していなければ、位置決めが不十分ということになる。この確認は、ユーザーが目視によって実行する。
【００９６】
次のステップ１７０では、確認ボタン１０２の操作があったか否かが判断され、否定判定されると、ステップ１７２へ移行する。ステップ１７２では、調整キー１００の操作があったか否かが判断され、否定判定されると、ステップ１７４へ移行する。ステップ１７４では、最初からやり直すか否かが判断され、否定判定されると、ステップ１７０へ戻る。すなわち、ステップ１７０、１７２、１７４の何れかで肯定判定されるまで、ステップ１７０、１７２、１７４を繰り返す。
【００９７】
ここで、ステップ１７４での、やり直すか否かの判断は、例えば、ＵＩ５８からリセット操作があったか否かに置き換えることが可能である。
【００９８】
このステップ１７４で肯定判定された場合は、ステップ１０へ戻り、位置決め処理からやり直すか、位置決め処理を中止する。
【００９９】
また、ステップ１７２で肯定判定、すなわち、調整キー１００が操作されると、ステップ１７６へ移行して調整キー１００の操作による調整量に基づいて、画像形成位置情報を補正し、次いで、ステップ１７８へ移行して補正後の画像形成位置情報を一時格納（更新）し、ステップ１６８へ移行する。
【０１００】
さらに、ステップ１７０で肯定判定されると、位置決めが確認されたと判断し、ステップ１８０へ移行して、現在一時格納されている画像形成位置情報を画像形成制御部１３８で適用する画像形成位置情報として、画像形成位置情報格納部１３６へ格納する。
【０１０１】
その後、ステップ１８２へ移行して、搬送制御部５６の入出力デバイスを無効とし、このルーチンは終了する。
【符号の説明】
【０１０２】
Ｐ    帳票用紙
Ｐｓ    ミシン目
１０    画像形成装置
１２    画像形成部
１４    帯電装置
１６    露光装置
１８    現像装置
２０    除電装置
２２    クリーナブレード
２４    クリーナブラシ
２６    転写装置
２８    収容部
３０    定着装置
３４    搬送機構部
３４Ｒ    搬送ローラ対
３７    収容部
３８    フラッシュランプ
５０    案内板
５２    メイン制御部
５４    駆動ドライバ
５８    ＵＩ
６０    位置調整装置
６２    位置決めプレート
６４    指標部
６６    基準線
６８    補助線
７０    特定マーク
７２    ベルト
７４    車輪
７６    車軸
７８    滑車
８０    ストッパ板
８２    エンコーダ
８２Ａ    回転軸
８８    搬送制御部
９０    セットボタン
９２    位置確認装置
９４    ガイド壁
９６    台座
９８    目標位置インジケータ
９８Ｄ    目標位置発光群
１００    調整キー
１０２    確認ボタン
１０４    調整量表示部
１１０    調整指示受付部
１１２    セットボタン操作信号受付部
１１４    確認ボタン操作信号受付部
１１６    調整キー操作信号受付部
１１８    調整量情報出力部
１２０    目標位置情報出力部
１２２    用紙種情報受付部
１２４    用紙種情報格納部
１２６    画像形成位置演算部
１２８    エンコーダ情報読取部
１３０    画像形成位置情報一時格納部
１３２    画像形成位置調整部
１３４    画像形成位置確定部
１３６    画像形成位置情報格納部
１３８    画像形成制御部
【図１】
2014184989.tif 000003
【図２】
2014184989.tif 000004
【図３】
2014184989.tif 000005
【図５】
2014184989.tif 000006
【図６】
2014184989.tif 000007
【図４】
2014184989.tif 000008